(57)【要約】【課題】ＥＰＧ表示に対応したテレビジョン受像機において、文字情報の一覧性と情報量の確保とを両立させる。【解決手段】ＥＰＧ画面内でカーソルが一定時間以上とどまっている場合に、そのカーソルが指し示す番組欄『健康達人の旅…』を注目箇所とみなす。この注目箇所のみについて、その番組枠および文字を拡大する。モニタとリモコン器とのリモコン距離を測定し、このリモコン距離に応じて注目箇所の番組枠および文字の拡大率を変更する。これにより、ＥＰＧ画面の一部（注目箇所）のみが拡大されるに過ぎない。また、注目箇所については、その番組枠が拡大された上で文字も拡大される。【選択図】図３
2006157395.tif 000002
【特許請求の範囲】
【請求項１】
放送信号と同時に受信した各番組の電子番組情報を表示部に表示する電子番組情報表示制御装置において、
電子番組情報を取得するための電子番組情報取得手段と、
取得した電子番組情報の中から各番組を代表する番組欄とを表示制御するための第一表示制御手段と、
表示された各番組の番組欄のうちいずれかをカーソルで指定するための指定手段と、
カーソルで指定された番組に対し番組名の文字サイズを大きく表示制御する第二表示制御手段を有したことを特徴とする電子番組情報表示制御装置。
【請求項２】
前記第二表示制御手段は、更にカーソルで指定された番組欄の番組枠を拡大表示することを特徴とする請求項１に記載の電子番組情報表示制御装置。
【請求項３】
前記第二表示制御手段は、カーソルで指定された番組欄の番組名に加え番組の詳細情報を番組枠に表示することを特徴とする請求項１もしくは２に記載の電子番組情報表示制御装置。
【請求項４】
前記第二表示制御手段は、カーソル指定後一定時間経過後に実行したことを特徴とする請求項１乃至３のいずれかに記載の電子番組情報表示制御装置。
【請求項５】
前記第二表示制御手段は、検出した表示部と遠隔操作部との距離に応じて実行することを特徴とする請求項１乃至３のいずれかに記載の電子番組情報表示制御装置。
【請求項６】
前記第二表示制御手段は、番組枠の拡大面積が文字の拡大面積を上回るように設定され、その設定された設定値にもとづいて実行されたことを特徴とする請求項１至乃５のいずれかに記載の電子番組情報表示制御装置。
【請求項７】
放送信号と同時に受信した各番組の電子番組情報を表示処理する電子番組情報表示制御方法において、
電子番組情報の取得処理を行い、
取得した電子番組情報の中から各番組を代表する番組欄とを表示処理し、
表示された各番組の番組枠のうちいずれかをカーソルで指定処理し、
カーソルで指定された番組に対し番組名の文字サイズを大きく表示した第二表示処理を経ることを特徴とする電子番組情報表示制御方法。
【請求項８】
前記第二表示制御処理は、更にカーソルで指定された番組欄の番組枠を拡大表示処理することを特徴とする請求項７に記載の電子番組情報表示制御方法。
【請求項９】
前記第二表示制御処理は、カーソルで指定された番組欄の番組名に加え番組の詳細情報を番組枠に表示することを特徴とする請求項７もしくは８に記載の電子番組情報表示制御方法。
【請求項１０】
前記第二表示制御処理は、カーソル指定後一定時間経過後に実行したことを特徴とする請求項７乃至９のいずれかに記載の電子番組情報表示制御方法。
【請求項１１】
前記第二表示制御処理は、検出した表示部と遠隔操作部との距離に応じて実行することを特徴とする請求項７乃至９のいずれかに記載の電子番組情報表示制御方法。
【請求項１２】
前記第二表示制御処理は、番組枠の拡大面積が文字の拡大面積を上回るように設定され、その設定された設定値にもとづいて実行されたことを特徴とする請求項７乃至１１のいずれかに記載の電子番組情報表示制御方法。
【発明の詳細な説明】
【技術分野】
【０００１】
本発明は、ＥＰＧ表示に対応したテレビジョン受像機などの電子番組情報表示制御装置と、この電子番組情報表示制御装置における電子番組情報表示制御方法に関するものである。ここで、ＥＰＧ（Electronic Programming Guide）とは、放送予定や内容などの番組案内をモニタ上に表示する電子番組表を意味する。
【背景技術】
【０００２】
従来、この種のテレビジョン受像機において、モニタ上にＥＰＧ画面を表示させる際には、モニタ上の文字情報の見やすさを改善するため、ユーザー（視聴者）またはリモコン器とモニタとの距離に応じてモニタ上の文字サイズを変更（拡大または縮小）していた（例えば、特許文献１、２参照）。
【特許文献１】特開２００３−１４０６３２号公報
【特許文献２】実開平２−６６０８３号公報
【発明の開示】
【発明が解決しようとする課題】
【０００３】
しかし、モニタ上にＥＰＧ画面を表示させる際に、文字情報の一覧性と情報量の確保とを両立させることができないという不都合があった。
【０００４】
すなわち、ユーザーまたはリモコン器とモニタとの距離が離れているからといって、画面全体を拡大すると、文字情報の一覧性が損なわれる。これを避けるべく、各番組の枠を変えずに文字だけ拡大すれば、その分だけ文字数、ひいては情報量が減少してしまう。
【０００５】
本発明は、こうした不都合を解消することが可能な、電子番組情報表示制御装置および電子番組情報表示制御方法を提供することを目的とする。
【課題を解決するための手段】
【０００６】
まず、請求項１に係る発明は、放送信号と同時に受信した各番組の電子番組情報を表示部に表示する電子番組情報表示制御装置において、電子番組情報を取得するための電子番組情報取得手段と、取得した電子番組情報の中から各番組を代表する番組欄とを表示制御するための第一表示制御手段と、表示された各番組の番組欄のうちいずれかをカーソルで指定するための指定手段と、カーソルで指定された番組に対し番組名の文字サイズを大きく表示制御する第二表示制御手段を有したことを特徴とする。
また、請求項２に係る発明は、前記第二表示制御手段は、更にカーソルで指定された番組欄の番組枠を拡大表示することを特徴とする。
また、請求項３に係る発明は、前記第二表示制御手段は、カーソルで指定された番組欄の番組名に加え番組の詳細情報を番組枠に表示することを特徴とする。
また、請求項４に係る発明は、前記第二表示制御手段は、カーソル指定後一定時間経過後に実行したことを特徴とする。
また、請求項５に係る発明は、前記第二表示制御手段は、検出した表示部と遠隔操作部との距離に応じて実行することを特徴とする。
また、請求項６に係る発明は、前記第二表示制御手段は、番組枠の拡大面積が文字の拡大面積を上回るように設定され、その設定された設定値にもとづいて実行されたことを特徴とする。
また、請求項７に係る発明は、放送信号と同時に受信した各番組の電子番組情報を表示処理する電子番組情報表示制御方法において、電子番組情報の取得処理を行い、取得した電子番組情報の中から各番組を代表する番組欄とを表示処理し、表示された各番組の番組枠のうちいずれかをカーソルで指定処理し、カーソルで指定された番組に対し番組名の文字サイズを大きく表示した第二表示処理を経ることを特徴とする。
また、請求項８に係る発明は、前記第二表示制御処理は、更にカーソルで指定された番組欄の番組枠を拡大表示処理することを特徴とする。
また、請求項９に係る発明は、前記第二表示制御処理は、カーソルで指定された番組欄の番組名に加え番組の詳細情報を番組枠に表示することを特徴とする。
また、請求項１０に係る発明は、前記第二表示制御処理は、カーソル指定後一定時間経過後に実行したことを特徴とする。
また、請求項１１に係る発明は、前記第二表示制御処理は、検出した表示部と遠隔操作部との距離に応じて実行することを特徴とする。
また、請求項１２に係る発明は、前記第二表示制御処理は、番組枠の拡大面積が文字の拡大面積を上回るように設定され、その設定された設定値にもとづいて実行されたことを特徴とする。
【発明の効果】
【０００７】
本発明によれば、電子番組表上に表示された各番組を表す所定の番組枠のうちカーソルで指定された番組枠に対してのみ、その枠の中に記載されていた番組名等を拡大表示処理する。したがって、他の番組枠を含めた全番組表の一覧性を阻害することなく、ユーザーが操作過程上で見たい番組枠の拡大処理によってより分かりやすいフォントサイズでより多くのその番組の情報をユーザーが視認することが可能になる。その結果、文字情報の一覧性と情報量の確保とを両立させることが可能となり、ユーザーが得たい文字情報を適切な大きさの文字で見ることができ、ＥＰＧ操作時の使い勝手が向上する。
【０００８】
また、カーソル指定後一定時間経過後に、カーソルで指定された番組枠に対してのみ、その枠の中に記載されていた番組名等を拡大表示処理するので、カーソルで指定したい番組枠が確定するまでは番組表の一覧性を重視し、カーソル指定した番組が見たいものであるか考慮していることを時間経過を契機に判断して、ユーザーが更に注目したい番組をより見やすいサイズで、またより多くの情報量で視聴確認することが可能になる。
【発明を実施するための最良の形態】
【０００９】
以下、本発明の実施形態を図面に基づいて説明する。
図１は本発明に係るテレビジョン受像機の一実施形態を示す制御ブロック図、図２は表示適正化プログラムのフローチャート、図３はＥＰＧ画面の表示変化の一例を示す模式図である。
【００１０】
テレビジョン受像機１は、図１に示すように、表示部本体３と、表示部本体３を遠隔操作するためのリモコン器２とから構成されている。
【００１１】
この表示部本体３は、図１に示すように、各種の表示制御を行うＯＳＤ表示制御部３１と、映像、文字、ＥＰＧ画面などを表示するＬＣＤ（液晶ディスプレイ）３２と、音声情報、映像情報、ＥＰＧ情報を含む放送信号を受信する受信部３３と、放送信号を音声情報、映像情報、ＥＰＧ情報に分離する分離部３４と、音声情報を処理する音声処理部３５と、音声を出力するスピーカ３６と、各種の情報を記憶する記憶部３７と、映像情報を処理する映像処理部３８と、リモコン器２に向けて発光する表示部用発信部３９と、リモコン器２からの信号を受信する表示部用受光部４０と、ＳＴＡＲＴ信号を受信してからＥＮＤ信号を受信するまでの時間差を測定する時間差測定部４１と、リモコン器２からの指示内容を判定するキー判定部４２と、カーソルの滞留時間を測定するタイマー管理部４３とを有している。さらに、ＯＳＤ表示制御部３１には、ＬＣＤ３２に表示される文字を作成するキャラクタジェネレータ３１ａが内蔵されている。また、記憶部３７には、ＥＰＧ情報を格納するＥＰＧ情報取得部３７ａが内蔵されている。
【００１２】
一方、リモコン器２には、図１に示すように、その操作面にＥＰＧ表示指示キー２１およびカーソル移動キー２２が取り付けられているとともに、表示部用発信部３９からの信号を受信するＲ／Ｃ受光部２３と、表示部用受光部４０に向けて発光するＲ／Ｃ発信部２４とが内蔵されている。
【００１３】
そして、表示部本体３の表示部用発信部３９、表示部用受光部４０、時間差測定部４１と、リモコン器２のＲ／Ｃ受光部２３、Ｒ／Ｃ発信部２４とで、距離測定手段５を構成している。
【００１４】
テレビジョン受像機１は以上のような構成を有するので、図１に示すように、アンテナを経由して受信部３３が放送信号を受信すると、分離部３４で各情報（音声情報、映像情報、ＥＰＧ情報）に分離される。そして、音声情報は音声処理部３５を経てスピーカ３６に出力され、映像情報は映像処理部３８を経てＬＣＤ３２に出力される。したがって、ユーザー（視聴者）は、ＬＣＤ３２に表示される映像を見ながら、スピーカ３６から発信される音声を聞くことにより、テレビジョン放送を楽しむことができる。さらに、ＥＰＧ情報は、記憶部３７に出力されてＥＰＧ情報取得部３７ａに格納され、ＯＳＤ表示制御部３１に対して出力自在となる。
【００１５】
また、ＬＣＤ３２上にＥＰＧ画面を表示させる際には、ユーザーはリモコン器２のＥＰＧ表示指示キー２１を押す。すると、その旨の信号がＲ／Ｃ発信部２４から表示部本体３の表示部用受光部４０に向けて発信される。この信号を受けて表示部用受光部４０は、キー判定部４２に対してこの信号を出力し、キー判定部４２はＯＳＤ表示制御部３１に対してこの信号を出力する。これを受けてＯＳＤ表示制御部３１は、図２に示す表示適正化プログラムＰＲＧに基づき、次に述べるとおり、各種の動作を実行する。
【００１６】
まず、ＯＳＤ表示制御部３１は、番組表として出力するべき縦軸にチャンネル列、横軸に時間軸あるいは放送順序を表し、この２つの軸に該当するチャンネル及び時間若しくは放送順に応じて所定の領域を有した番組枠を形成し、それぞれの番組枠上には各番組の内容を示すコンテンツ標識と番組名の少なくとも一部とを記して表示した番組欄を番組枠と併せて形成している。更に、ユーザーが番組を選択できるようにするために番組枠と略同じ大きさのカーソルを少なくとも一つの番組枠に重ねて表示し、図３のように他の番組枠に対して識別可能になるような様態で表示処理を行う。そしてこのとき、いずれかの番組を表す番組欄がカーソルを用いて選択されたか否かを判定する（表示適正化プログラムＰＲＧのステップＳ１）。すなわち、ユーザーがカーソル移動キー２２を押すと、その旨の信号がＲ／Ｃ発信部２４から発信されて表示部用受光部４０で受信され、キー判定部４２を経由してＯＳＤ表示制御部３１に入力される。したがって、ＯＳＤ表示制御部３１は、この信号が入力されたときにユーザーによって番組欄が選択されたと判定し、この信号が入力されなかったときにユーザーが番組欄が選択されなかったと判定する。
【００１７】
その結果、ユーザーが番組欄を選択しなかった場合は、ユーザーがＥＰＧ画面の番組枠を見るだけで用が済み、番組欄の文字サイズを拡大する必要がないと考えられるため、ＯＳＤ表示制御部３１は、ＥＰＧ画面の番組枠の表示を通常の大きさにする（表示適正化プログラムＰＲＧのステップＳ２）。
【００１８】
他方、ユーザーが番組欄を選択した場合は、ＬＣＤ３２上の文字情報の見やすさを改善すべく、ＯＳＤ表示制御部３１は、距離測定手段５により、ＬＣＤ３２とリモコン器２との距離、すなわちリモコン距離を測定する（表示適正化プログラムＰＲＧのステップＳ３）。
【００１９】
それには、ＯＳＤ表示制御部３１は、表示部用発信部３９に対して発光を指令する。これを受けて表示部用発信部３９は、Ｒ／Ｃ受光部２３に向けて発光すると同時に、時間差測定部４１に対してＳＴＡＲＴ信号を出力する。Ｒ／Ｃ受光部２３はＲ／Ｃ発信部２４に対して発光を指令し、Ｒ／Ｃ発信部２４は表示部用受光部４０に向けて発光する。これを受けて表示部用受光部４０は、時間差測定部４１に対してＥＮＤ信号を出力する。そして、時間差測定部４１は、ＳＴＡＲＴ信号が入力されてからＥＮＤ信号が入力されるまでの時間差を測定し、この時間差をＯＳＤ表示制御部３１に出力する。すると、ＯＳＤ表示制御部３１は、この時間差に基づき、リモコン距離を演算する。具体的には、例えば、リモコン距離と時間差との関係を予め求めて換算式または換算テーブルを作成しておき、この換算式または換算テーブルを用いて時間差からリモコン距離を求めればよい。
【００２０】
次に、ＯＳＤ表示制御部３１は、タイマー管理部４３に対して、一定時間（例えば、2秒）内にカーソルの移動があったか否かを判定するように指令する（表示適正化プログラムＰＲＧのステップＳ４）。これを受けてタイマー管理部４３は、カーソルが停止するたびにカーソルの滞留時間を測定し、この滞留時間が一定時間より短いときは一定時間内にカーソルの移動があったと判定し、この滞留時間が一定時間に達したときは一定時間内にカーソルの移動がなかったと判定する。
【００２１】
その結果、一定時間内にカーソルの移動があった場合は、ユーザーの注目したい箇所が未だ定まっていないと考えられるため、ＯＳＤ表示制御部３１は、ＥＰＧ画面の番組欄の表示を通常の大きさにした後（表示適正化プログラムＰＲＧのステップＳ５）、表示適正化プログラムＰＲＧのステップＳ１に戻り、同じ動作を繰り返す。
【００２２】
他方、一定時間内にカーソルの移動がなかった場合、つまりカーソルが一定時間以上とどまっている場合は、ＯＳＤ表示制御部３１は、そのカーソルが指し示す番組欄をユーザーが注目している箇所、すなわち注目箇所とみなす。
【００２３】
次いで、ＯＳＤ表示制御部３１は、リモコン距離が一定値（例えば、2ｍ）以上であるか否かを判定する（表示適正化プログラムＰＲＧのステップＳ６）。
【００２４】
その結果、リモコン距離が一定値未満である場合は、番組欄の表示を拡大しなくてもユーザーが文字情報を十分に読み取れると考えられるため、ＯＳＤ表示制御部３１は、ＥＰＧ画面の番組欄の表示を通常の大きさにした後（表示適正化プログラムＰＲＧのステップＳ５）、表示適正化プログラムＰＲＧのステップＳ１に戻り、同じ動作を繰り返す。
【００２５】
他方、リモコン距離が一定値以上である場合は、番組欄の表示を拡大して見やすくする必要があると考えられるため、ＯＳＤ表示制御部３１は、注目箇所（カーソル指定された番組枠）のみについて拡大処理するとともに、文字サイズを大きくする（表示適正化プログラムＰＲＧのステップＳ７）。すなわち、番組枠発生手段によって通常表示処理用及び拡大表示処理用の番組枠に関する設定値（例えば、メモリー領域に用意された設定値として、番組枠の表示開始位置が設定された『第一の設定値』及び番組枠の表示幅が設定された『第二の設定値』とが用意され、これらが通常表示時と拡大表示時とに分けて少なくとも２パターンで書換処理がなされ、その書換処理によって番組枠の通常⇔拡大切替表示処理がなされる。）が用意され、このとき同時に、ＯＳＤ表示制御部３１は、キャラクタジェネレータ３１ａに対して文字の作成を指令し、キャラクタジェネレータ３１ａは、距離測定手段５によって測定されたリモコン距離に応じた大きさの文字を作成する。そして、ＯＳＤ表示制御部３１は、この文字をＬＣＤ３２に出力し、番組枠が拡大された注目箇所に表示する。
【００２６】
例えば、図３に示すように、ＬＣＤ３２上に表示されたＥＰＧ画面中の『健康達人の旅…』と題する番組欄にユーザーが注目し、かつリモコン距離が一定値以上であれば、もともと通常サイズの文字で「健康達人の旅  〜長寿」と番組名の一部しか表示されていなかったものが、番組枠が縦横に約１０倍に拡大されて「健康達人の旅〜長寿村を歩く〜＃３  健康シリーズ第３段。長崎県の長寿村の秘密を探ります。」と番組名の全部が大きな文字（通常サイズの約４倍の文字）で表示される。
【００２７】
したがって、注目箇所が大きな文字で表示されて見やすくなるのは勿論のこと、文字情報の一覧性と情報量の確保とを両立させることができる。すなわち、ＥＰＧ画面全体が拡大されるわけではなく、その一部（注目箇所すなわちカーソルで指定された番組枠）のみが拡大されるに過ぎないので、文字情報の一覧性を維持することができる。また、注目箇所については、その番組枠が拡大された上で文字も拡大されているため、文字数、つまり情報量を確保することができる。
【００２８】
しかも、注目したい箇所（カーソル指定された番組欄）において、例えば番組枠の拡大率が文字の拡大率を上回るように設定している。つまり、前述の番組枠発生手段としてメモリー領域に用意された拡大表示処理用の番組枠の縦方向及び横方向の設定値が、文字の拡大処理によって算出された拡大文字によって形成された文章全体が有する面積を上回るような縦横の表示幅を選択設定し、その選択設定された表示幅にもとずいて番組枠の拡大処理を行う。それと同時に、拡大された番組枠の上に番組欄を形成するべく番組のコンテンツを表す標識及び番組名及び詳細情報等を拡大された文字サイズで表示処理を行う。
これにより、余裕のある文字表示領域が形成されることからユーザーの視認性が高まる。
【００２９】
その後、表示適正化プログラムＰＲＧのステップＳ１に戻り、ＯＳＤ表示制御部３１は、同じ動作を繰り返す。
【００３０】
なお、上述の実施形態においては、リモコン距離を測定するのに、表示部用発信部３９、表示部用受光部４０、時間差測定部４１、Ｒ／Ｃ受光部２３およびＲ／Ｃ発信部２４からなる距離測定手段５を用い、ＳＴＡＲＴ信号からＥＮＤ信号までの時間差を利用する場合について説明した。しかし、Ｒ／Ｃ発信部２４から表示部用受光部４０に届く受光レベルの強弱により、リモコン距離を測定することもできる。或いはまた、ユーザーが目測などでリモコン距離を測定し、そのリモコン距離を直接またはリモコン器２経由で表示部本体３に入力することも可能である。
【００３１】
なお、上述の実施形態においては、モニタとしてＬＣＤ３２を備えた表示部本体３について説明したが、ＬＣＤ３２以外のモニタ（例えば、ＣＲＴ、ＰＤＰ、有機ＥＬなど）を代用することもできる。また、上述の実施形態においては、電子番組情報表示制御装置としてテレビジョン受像機１を例示して説明したが、テレビジョン受像機１以外の電子番組情報表示制御装置（例えば、電子番組表を用いて予約表示もしくは録画処理等が可能な情報記録装置や取得した電子番組表を表示処理しこの番組表から任意の番組を指定選択することによって他の表示装置や他の記録装置に予約視聴あるいは予約録画の機能を有した電子機器（より具体的には携帯端末装置やビデオマウス出力対応機器等））に本発明を適用することも可能である。
【００３２】
なお、本発明において番組枠を含めた番組欄を構成する各種情報として、番組コンテンツを表す標識や番組名だけでなく、放映時間帯情報（開始、終了時含む）やチャンネル番号もしくは符号、番組の詳細を表した詳細情報、毎月、毎週あるいは毎日を表す繰返し情報等を含めて表現しても良いが、文字サイズの通常表示時においては、前記標識と番組名だけで十分であり、特に番組枠が拡大処理されたときの文字情報時はより多くの情報を表示するという観点からこれらの上記情報を可能な限り表示した方が良いといえる。
【図面の簡単な説明】
【００３３】
【図１】本発明に係るテレビジョン受像機の一実施形態を示す制御ブロック図である。
【図２】表示適正化プログラムのフローチャートである。
【図３】ＥＰＧ画面の表示変化を例示する模式図である。
【符号の説明】
【００３４】
１……テレビジョン受像機（電子番組情報表示制御装置）
２……リモコン器
３……表示部本体
５……距離測定手段
２１……ＥＰＧ表示指示キー
２２……カーソル移動キー
２３……Ｒ／Ｃ受光部
２４……Ｒ／Ｃ発信部
３１……ＯＳＤ表示制御部
３１ａ……キャラクタジェネレータ
３２……ＬＣＤ（モニタ）
３３……受信部
３４……分離部
３５……音声処理部
３６……スピーカ
３７……記憶部
３７ａ……ＥＰＧ情報取得部
３８……映像処理部
３９……表示部用発信部
４０……表示部用受光部
４１……時間差測定部
４２……キー判定部
４３……タイマー管理部
【図１】
2006157395.tif 000003
【図２】
2006157395.tif 000004
【図３】
2006157395.tif 000005